(57)【要約】【課題と解決手段】ヘッダー２０に容器２８のネジ２２とガスケット２３で密封的に固定できる構成としそして、該ヘッダー２２と混合器本体1とをバルブ手段１４でそれぞれ接続する構成とする。そして、該バルブ手段１４のレバー１５には、ボールとバネからなるバルブ機構２が配設されており、該バルブ手段１４の動作に連動して、該ボール３１が前記ヘッダー２０に形成されたバルブシート２４に着脱し、容器２８の空間３４を密封から大気に切り替可能にしたことを特徴とする二液混合器を提供する。  【選択図】図２
2014018691.tif 000002
【特許請求の範囲】
【請求項１】
主液のエジェクター効果により密封された容器内の原液を吸い上げて混合するもので、該混合液を大気に直接放出、希釈、散布する二液混合器において、混合器は本体、原液の吸い上げを制御するバルブ手段、該バルブ手段の操作レバーに配設されたボールと弾性手段からなるバルブ機構、および、前記バルブ手段に接続されるヘッダーで構成される。そして、該ヘッダーには、容器を固定するネジ部、前記バルブ機構のボールを着座せしめるシート部、および、該シート部に導通する通路が形成されており、前記操作レバーの回転に連動して、容器の大気開放と容器の密封保存の切り替ができ、同時に、原液の吸い上げがワンタッチで行える二液混合器。
【発明の詳細な説明】
【技術分野】
【０００１】
本発明は、主液のエジェクター効果により密封された容器内の原液を吸い上げて混合するもので、該混合液を大気に直接放出、希釈、散布する二液混合器に関するものである。
【背景技術】
【０００２】
現在、実際に使われている二液混合器は、切削油と水を希釈するクーラント希釈液装置や洗剤と水を希釈する洗車ノズル等がある。
一般的には、大気に開放された容器内の原液を、エジェクター効果で吸い上げ主液と混合し、混合液を大気に噴出開放する場合が多い。しかし、原液を長期に保存する必要がある場合には、多くの手順を踏んで、密封された保存状態の容器から原液をエジェクター効果で吸い上げて混合液を大気に放出するという作業をせねばならない。消火剤や薬剤等、大気に晒されると劣化し、効能が落ちるのを防止するためである。
【０００３】
このような用途の二液混合器は通常、密閉された容器に消火剤等の原液が充填されており、図1のように、二個のバルブと安全弁から構成されている場合が考えられる。安全弁は密封状態の原液が何らかの原因で加温され、容器内部の圧力が上昇した時に、大気に圧力を開放する役目を担う。そして、消火作業を行う前にまず、バルブ２を開き、容器を大気と導通せしめ、次いで、バルブ１を開き、原液を調整しながら、水道水を供給して、水と消化剤の混合液を噴出して消火作業を行うことになる。
このような消火作業は迅速を必要とする。そのため、バルブ操作が複雑であり、装置自身も複雑で重く、ハンドリングしにくいと、消火作業に支障をきたす。
下記特許文献１はポンプ加圧装置を備えた消火器の混合器を示すが、大型の設備であり、本格的な消火に使用するものである。一般の家庭や店舗で使用されるハンディタイプの水道水利用の消火器は、あまり世の中に普及していない。理由は水溶性消火剤の粘度が高く、一般的な水道水圧（０．３〜０．６Ｍｐａ）では大きなエジェクター効果が得られないからである。更に、前述のように装置全体が重く、操作が複雑化し、コスト高になっているからである。
また、農薬、薬剤および液体肥料を散布する例が特許文献２であるが、ハンディタイプの散水器の上部に原液を入れる容器が附設された例である。これは、ニードルバルブで原液量が調節可能で、液重力で水と混合する構成となっている。しかし、完全な密封構造ではないので容器の農薬等は大気に晒され劣化することになる。また、この容器は専用であり、散水器に固定されているため、原液をボトルから容器に移し変えることが必要であり、毒性の強い農薬等では取り扱いが難しい。
【０００４】
こうしたことから、原液が密閉された容器内で、大気に晒されることなく長期間の保存が可能でありそして、使用時には水道水に接続して、ワンタッチで混合液を混合放出、希釈、散布ができ、コンパクトで、ハンドリングし易くそして、安価な二液混合装置が望まれている。
【先行技術文献】
【特許文献】
【０００５】
【特許文献１】特許公開２０１０−２１３８２３
【特許文献１】特許公開平７−１７１４４７
【発明の概要】
【発明が解決しようとする課題】
【０００６】
消火剤、農薬、液肥等は粘度が高く、大きなエジェクター効果が要求される。この顕著な改良は弊社の特願２０１２−１４９０３４でなされており、図２の混合器本体に採用されている。
そして、原液のエジェクター効果による吸い上げの際に、容器が密封状態のまま原液を吸い上げると、液面が低下するに従い、容器内が負圧になり、吸い上げが困難になるために容器の液面上の空間を大気に開放しなければならない。と同時に、原液と前記混合器の通路を導通せしめて、原液の吸い上げを開始しなければならない。これらの一連の動作を簡単なバルブ構造で且つ、ワンタッチで行う必要がある。
【０００７】
また、消火剤、農薬、薬剤、液肥が入っている市販のボトルのねじ栓のみを取り外して、原液の容器として、そのまま混合器にネジを共用して、取り付けることができるようにすることで、直接、原液に触れることがなく作業が行える。そして、容器の取り付けが完了した時点から、機密性が確保でき、原液が大気に晒されず、原液が混合器の外に不本意に洩れることをなくす必要がある。
【課題を解決するための手段】
【０００８】
この技術課題を達成するために、ヘッダー２０に容器２８のネジ２２とガスケット２３で密封的に固定できる構成とし、該ヘッダー２２と混合器本体1とをバルブ手段１４でそれぞれ接続し、該バルブ手段１４の内径の一端に細い耐薬品性のある細管２６を接続し、原液を最後まで吸い上げれる構成とした。また、該バルブ手段１４の操作レバー１５には、ボールとバネからなるバルブ機構２が配設されている。そして、該バルブ手段１４の開閉動作に連動して、前記ボールがヘッダー２０に形成されたバルブシート２４に着脱し、容器２８の空間３４を密封状態から大気への切り替えを可能にしたことで、ワンタッチでのバルブ操作で原液の吸い上げが行える構成とした。
【発明の効果】
【０００９】
これにより、バルブ手段１４のワンタッチの操作で原液２５を混合器本体１に導通させそして、容器の空間３４を大気に導通せしめて、原液２５の吸い込みを迅速に行うことが可能となった。結果、構成が単純化され、長期間の原液の保存が可能で、コンパクトで、ハンドリングし易くそして、安価な二液混合装置を提供できる。
また、ボールとバネからなるバルブ機構２がシート２４に着座した状態では容器２８は密封状態になるが、容器内の内圧が環境温度の上昇等で不本意に上がった場合には、該ボール３１を押し上げ、ヘッド部材２０に形成された通路１８から圧力を大気に放出できるため特別に、安全弁を附設する必要が無くなった。
更に、容器は市販のボトルがそのまま使用できるため、ボトルの交換に際して、農薬等の毒性の原液で手を汚すことが無く、そして、混合器を未使用の場合で、どんな姿勢で放置されていても、原液が不本意に洩れ出すことが無いというメリットがある。
【図面の簡単な説明】
【００１０】
【図１】図１は従来型の混合器を示したもので、混合器は動作中で容器は大気に開放された状態にある。
【図２】図２は本発明の実施例を示したもので、混合器は動作しておらず容器は大気と遮断され密封状態にある。
【図３】図３は実施例のバルブ機構の詳細を示したものであり、混合器は動作中で容器は大気に開放された状態にある。
【発明を実施するための形態】
【００１１】
原液が密閉された容器内で、大気に晒されることなく長期間の保存が可能でありそして、使用時には直ちに水道水に接続して、ワンタッチで混合液を混合放出、希釈、散布ができ尚且つ、コンパクトで、ハンドリングし易くそして、安価な二液混合装置が実現できる。
【実施例１】
【００１２】
図１は、従来型エジェクター混合器の断面を示したものである。１は二液混合器本体を示す。水道水からの高圧の液体は絞り部で高速の流体となり、ベルヌーイの定理により流速に比例して、負圧室の圧力が低下し、大気圧よりも低くなることで、原液を吸い上げるエジェクター効果が出る。負圧室で主液は原液と混合し、該混合液は徐々に拡がる開口部に入り、圧力が次第に大気圧まで上がり、放出される構成となっている。
しかしながら、消火剤のような原液であれば、容器内の原液を長期に保存する必要があり常時、容器の密封状態を維持し、使用する段階で初めて、バルブ１とバルブ２を開放する必要があった。更に、容器内の不本意な圧力上昇を逃がす安全弁を備えることも要求された。
【００１３】
図２は本発明の実施例の断面を示したものである。
前記混合器本体１は、ユニオン４そして、該ユニオン４に勘合する絞り管５から構成されまた、該絞り管５からクリアランス１１のところに該端面を有するフランジ８および、二ップル９で構成される。そして、前記フランジ８は該二ップル９の内径側で軸方向に勘合されている。更に、前記二ップル９は直径方向にピン部材１０が配置されそして、ノズル７から混合液が大気に放出される構成となっている。尚且つ、チーズ３の内壁側には、前記絞り管５の外周と前記フランジ管８の端面で囲われた負圧室６が形成され、前記フランジ８の端面と絞り管５の端面とのクリアランス１１が、前記負圧室６に吸い上げられる原液２８の流量を決定している。すなわち、該クリアランスにより水と原液の濃度が設定されている。
二液混合器のシステム全体は、混合器本体１、取手２７、メインバルブ１６、高圧液を供給する水道水供給源２９、原液の容器２８、該容器２８をネジ２２で固定するためのヘッド２０および該ヘッド２０と混合器本体１の中間にあって、原液の吸い上げの接続、断続を操作するボールバルブ１４から構成されている。
図２の状態は混合器１が動作停止し、容器２８が密封され、大気から遮断された状態にある。つまり、ボールバルブ１４は閉で混合器１と原液２５すなわち、該ボールバルブ１４に接続された細管２６の導通を閉塞している。そして、該ボールバルブ１４を操作するレバー１５の半径方向に配設されているバルブ機構２のボール３１が、ヘッド２０に形成されたバルブシート２４に着座し、通路２１および１８を介して大気との導通を遮断する構成となっている。
容器２８は基本的には原液２５が入った市販の姿でヘッド２０に取り付けが可能になっている。すなわち、ネジ２２および、ガスケット２３を介して密封状態を保持して固定される構成となっている。
【００１４】
図３は実施例のバルブ機構２の詳細を示したものであり、混合器１が動作状態にある。
バルブ機構２はケース３０、該ケースの中に収まるボール３１および該ボールを付勢するバネ３２から構成されている。
そして、該ボール３１が抜けないようにケース３０の先端はカシメられ、該ボール３１はバネ３２に抗して、奥に数ミリ移動できる。また、該ケース３０全体はボールバルブ１４のレバー１５に回転軸に対し、半径方向に圧入されている。
図２の状態からボールバルブ１４を操作するレバー１５を時計回りに９０度回転させると、該ボールバルブ１４は開の状態に至る。同時に、バルブ機構２のボール３１はヘッダーに形成されたシート２４から外れ、容器２８の空間３４はヘッダー２０に形成された通路２１および、１８が大気と導通する構成となっている。
【産業上の利用可能性】
【００１５】
市販の原液容器がそのまま接続でき、大気に混合液を緩やかに放出、希釈、散布する場合や高速で放出場合のどちらにも対応できる二液混合器である。特に、混合器を使用していない場合は、原液を大気に晒すことなく、密封状態で長期保管ができそして、外部に原液が洩れないという利点を有することから、大気中での劣化を嫌う消火剤の混合放出、農薬、液肥の希釈および、散布にも利用ができるし、一般的な洗剤による洗車ノズルにも利用できる。
【符号の説明】
【００１６】
１    混合器本体
２    バルブ機構
１４  ボールバルブ
２０  ヘッダー
２１  細管
２５  原液
２８  容器
２９  水道水
【図１】
2014018691.tif 000003
【図２】
2014018691.tif 000004
【図３】
2014018691.tif 000005